(57)【要約】【課題】運搬物の積荷時において、コンベヤベルトに損傷を与えることがないようにしたベルトコンベヤを提供する。【解決手段】コンベヤベルト３の搬送面４とシュート５の排出口７との間に、一対のプーリ８、８に掛け回された無端状の緩衝用ゴムベルト９を、コンベヤベルト３の走行方向に向けて下方へ傾くようにして設置する。【選択図】図１
2012020810.tif 000002
【特許請求の範囲】
【請求項１】
回転駆動される無端状のコンベヤベルトの搬送面に向けて、排出口を通じて運搬物を落下させるシュートを備えたベルトコンベヤにおいて、
前記シュートの排出口と前記コンベヤベルトの搬送面との間に、一対のプーリに掛け回された無端状の第１の緩衝用ゴムベルト又は緩衝用コンベヤベルトを、前記コンベヤベルトの走行方向に向けて下方へ傾くように設置したことを特徴とするベルトコンベヤ。
【請求項２】
前記第１の緩衝用ゴムベルト又は緩衝用コンベヤベルトが、前記コンベヤベルトの走行方向と逆方向に回転駆動する請求項１に記載のベルトコンベヤ。
【請求項３】
前記第１の緩衝用ゴムベルト又は緩衝用コンベヤベルトが、上下方向に及び／又は前記コンベヤベルトの搬送面に垂直な軸の回りに回動可能である請求項１又は２に記載のベルトコンベヤ。
【請求項４】
前記第１の緩衝用ゴムベルト又は緩衝用コンベヤベルトが、前記コンベヤベルトの長手方向に沿って移動可能である請求項１〜３のいずれかに記載のベルトコンベヤ。
【請求項５】
前記第１の緩衝用ゴムベルト又は緩衝用コンベヤベルトと前記排出口との間に、一対のプーリに掛け回された無端状の第２の緩衝用ゴムベルト又は緩衝用コンベヤベルトを、前記コンベヤベルトの走行方向に向けて上方へ傾くように設置した請求項１〜４のいずれかに記載のベルトコンベヤ。
【請求項６】
前記第２の緩衝用ゴムベルト又は緩衝用コンベヤベルトが、前記コンベヤベルトの走行方向と同方向に回転駆動する請求項５に記載のベルトコンベヤ。
【請求項７】
前記第２の緩衝用ゴムベルト又は緩衝用コンベヤベルトが、上下方向に及び／又は前記コンベヤベルトの搬送面に垂直な回転軸の回りに回動可能である請求項５又は６に記載のベルトコンベヤ。
【請求項８】
前記第２の緩衝用ゴムベルト又は緩衝用コンベヤベルトが、前記コンベヤベルトの長手方向に沿って移動可能である請求項５〜７のいずれかに記載のベルトコンベヤ。
【請求項９】
前記シュートの内壁面に緩衝板を突設した請求項１〜８のいずれかに記載のベルトコンベヤ。
【発明の詳細な説明】
【技術分野】
【０００１】
本発明はベルトコンベヤに関し、更に詳しくは、運搬物の積荷時にコンベヤベルトに損傷を与えることがないようにしたベルトコンベヤに関する。
【背景技術】
【０００２】
一般に、ベルトコンベヤに塊状物や粉体物などの運搬物を積荷する際には、上方に設置したシュートを通じて運搬物をコンベヤベルトの搬送面に向けて落下させるようにしている（例えば、特許文献１を参照）。そのため、運搬物の落下の衝撃によりコンベヤベルトに損傷が発生しないように、シュートと搬送面との間の距離を短くしたり、シュート内部に緩衝板を設置するなどの方策が採られている。
【０００３】
しかしながら、例えば極冷寒地における露天掘り鉱山で用いられるベルトコンベヤのように、水分等により互いに付着し合って大塊状となりやすい運搬物を対象とする場合には、運搬物の形状や大きさが一定しないため、上述したような対策では不十分であるという問題があった。
【先行技術文献】
【特許文献】
【０００４】
【特許文献１】特開平８−２８２８２１号公報
【発明の概要】
【発明が解決しようとする課題】
【０００５】
本発明の目的は、運搬物の積荷時において、コンベヤベルトに損傷を与えることがないようにしたベルトコンベヤを提供することにある。
【課題を解決するための手段】
【０００６】
上記の目的を達成する本発明のベルトコンベヤは、回転駆動される無端状のコンベヤベルトの搬送面に向けて、排出口を通じて運搬物を落下させるシュートを備えたベルトコンベヤにおいて、前記シュートの排出口と前記コンベヤベルトの搬送面との間に、一対のプーリに掛け回された無端状の第１の緩衝用ゴムベルト又は緩衝用コンベヤベルトを、前記コンベヤベルトの走行方向に沿って下方へ傾くように設置したことを特徴とするものである。
【発明の効果】
【０００７】
本発明のベルトコンベヤによれば、コンベヤベルトの搬送面とシュートの排出口との間に、一対のプーリに掛け回された緩衝用ゴムベルト又は緩衝用コンベヤベルトを、コンベヤベルトの走行方向に向けて下方へ傾くように設置したことにより、ベルトコンベヤへの運搬物の積荷時において、シュートの排出口から排出された運搬物は、緩衝用ゴムベルト又は緩衝用コンベヤベルトをクッションとしつつその上面に沿って斜め下方へ移動してから搬送面に落下するので、運搬物の落下による衝撃が緩和されるため、コンベヤベルトの損傷を防ぐことができる。
【０００８】
上記の緩衝用ゴムベルト又は緩衝用コンベヤベルトは、コンベヤベルトの走行方向と逆向きに回転駆動することが望ましい。そのようにすることで、緩衝用ゴムベルト又は緩衝用コンベヤベルトの上面に沿った運搬物の斜め下方への移動速度を抑制して、運搬物の落下による衝撃を更に緩和することができると共に、緩衝用ゴムベルト又は緩衝用コンベヤベルトの回転速度を調整することで、ベルトコンベヤへの運搬物の供給量を制御することができる。
【０００９】
また、上記の緩衝用ゴムベルト又は緩衝用コンベヤベルトは、上下方向に及び／又はコンベヤベルトの搬送面に垂直な軸の回りに回動可能であると共に、コンベヤベルトの長手方向に沿って移動可能であることが望ましい。そのようにすることで、様々な性状の運搬物に対応することが可能になると共に、コンベヤベルトとシュートとの相対的な位置ズレに対応することができる。
【図面の簡単な説明】
【００１０】
【図１】本発明の実施形態からなるベルトコンベヤの全体図である。
【図２】図１におけるシュートの設置部分の一部拡大断面図である。
【図３】緩衝用ゴムベルトの可動状態を説明する拡大図である。
【図４】図３に示すＸ−Ｘ矢視における緩衝用ゴムベルトの可動状態を説明する平面図である。
【図５】本発明の別の実施形態からなるベルトコンベヤにおけるシュートの設置部分の一部拡大断面図である。
【図６】シュートの側方からの断面図である。
【発明を実施するための形態】
【００１１】
以下に、本発明の実施の形態について、図面を参照して説明する。
【００１２】
図１は、本発明の実施形態からなるベルトコンベヤを示す。
【００１３】
このベルトコンベヤは、図示しない電動機により回転駆動される駆動プーリ１と従動プーリ２とに掛け回された無端状のコンベヤベルト３を有しており、往路側のコンベヤベルトの上面である搬送面４の上方にシュート５を備えている。シュート５は、上下が開口した中空構造を有し、上部の大径の開口部６から供給された塊状物や粉体物などの運搬物を、下部の小径の排出口７を通じて搬送面４に向けて落下させることで、ベルトコンベヤへの積荷を行うものである。
【００１４】
このようなベルトコンベヤにおいて、コンベヤベルト３の搬送面４とシュート５の排出口７との間には、一対のプーリ８、８に掛け回された無端状の緩衝用ゴムベルト（第１の緩衝用ゴムベルト）９が、コンベヤベルト３の走行方向に向けて下方へ傾くようにして設置されている。緩衝用ゴムベルト９の構造は特に限定するものではないが、帯状のゴム部材が例示される。また、緩衝用ゴムベルト９の幅は、シュート５の排出口７の内径以上の大きさとするのがよい。
【００１５】
このように緩衝用ゴムベルト９を設置することにより、図２に示すように、ベルトコンベヤへの運搬物１０の積荷時において、シュート５の排出口７から排出された運搬物１０は、緩衝用ゴムベルト９をクッションとしつつその上面１１に沿って斜め下方へ移動し、緩衝用ゴムベルト９の端部からコンベヤベルト３の搬送面４に落下するため、運搬物１０の落下による衝撃が緩和されるので、コンベヤベルト３の損傷を防ぐことができる。
【００１６】
上記の緩衝用ゴムベルト９は、コンベヤベルト３の走行方向と逆向きに回転駆動することが望ましい。そのようにすることで、緩衝用ゴムベルト９の上面１１に沿った運搬物１０の斜め下方への移動速度を抑制して、運搬物１０の落下による衝撃を更に緩和することができる。また、緩衝用ゴムベルト９の回転速度を調整することで、搬送面４への運搬物の供給量を制御することができる。
【００１７】
更に、上記の緩衝用ゴムベルト９は、上下方向に回動可能であって、かつコンベヤベルト３の長手方向に沿って移動可能であること（図３）に加えて、コンベヤベルト３の搬送面４に垂直な軸（特に、上側のプーリ８の中心を通過する軸）の回りに回動可能であること（図４）が望ましい。そのようにすることで、様々な性状（形状、大きさ、特性など）の運搬物１０に対応することが可能になると共に、コンベヤベルト３とシュート５との相対的な位置ズレに対応することができる。なお、緩衝用ゴムベルト９の回動及び移動は、その上面１１の少なくとも一部が、排出口７の下方への投影部と重なる範囲内で行う必要がある。
【００１８】
図５は、本発明の別の実施形態からなるベルトコンベヤを示す。
【００１９】
このベルトコンベヤは、上記の実施形態における緩衝用ゴムベルト９とシュート５の排出口７との間に、一対のプーリ１２、１２に掛け回された無端状の緩衝用ゴムベルト（第２の緩衝用ゴムベルト）１３を、コンベヤベルト３の走行方向に向けて上方へ傾くようにして設置したものである。
【００２０】
このように新たな緩衝用ゴムベルト１３を設置することにより、シュート５の排出口７から排出された運搬物１０は、順に２台の緩衝用ゴムベルト１３、９をクッションとしつつその上面１４、１１に沿って斜め下方へ移動した後に、コンベヤベルト３の搬送面４に落下するので、運搬物１０の落下による衝撃を大幅に緩和することができる。
【００２１】
また、新たな緩衝用ゴムベルト１３は、緩衝用ゴムベルト９と同じように、コンベヤベルト３の走行方向と同じ向きに回転駆動すると共に、上下方向に及び又はコンベヤベルト３の搬送面４に垂直な軸の回りに回動可能であって、かつコンベヤベルト３の長手方向に沿って移動可能であることが望ましい。
【００２２】
なお、本実施形態では２台の緩衝用ゴムベルト９、１３を設置しているが、必要に応じて３台以上を排出口７と搬送面４との間に設置することも可能である。
【００２３】
なお、上記のいずれの実施形態においても、第１の緩衝用ゴムベルト９及び／又は第２の緩衝用ゴムベルト１３の代わりに、有機繊維の帆布からなる芯体の両面にカバーゴムを被覆した緩衝用コンベヤベルトを用いることができる。
【００２４】
シュート５の内壁面には、図６に示すように、緩衝板１５を突設することが望ましい。このように緩衝板１５を設置することで、緩衝板１５上に運搬物１０のデッドストックが発生し、シュート５内を運搬物１０が徐々に下方へ移動するようになるので、排出口７からの運搬物１０の落下量を抑えることができる。
【００２５】
本発明のベルトコンベヤの用途は特に限定するものではないが、極冷寒地における露天掘り鉱山から算出する鉱物のような、互いに付着し合って大塊状となりやすい運搬物を搬送する場合に好適に用いることができる。
【符号の説明】
【００２６】
１  駆動プーリ
２  従動プーリ
３  コンベヤベルト
４  搬送面
５  シュート
６  開口部
７  排出口
８、１２  プーリ
９、１３  緩衝用ゴムベルト
１０  運搬物
１１、１４  上面
１５  緩衝板
【図１】
2012020810.tif 000003
【図２】
2012020810.tif 000004
【図３】
2012020810.tif 000005
【図４】
2012020810.tif 000006
【図５】
2012020810.tif 000007
【図６】
2012020810.tif 000008